(57)【要約】【課題】  無線電話回線を利用して、映像データ又は音楽データを受信して再生する携帯型電話装置を提供する。【解決手段】  アンテナ部２及び受信部１１は、信号を受信する受信手段を構成し、アンテナ部２及び送信部１２は、信号を送信する送信手段を構成し、データ変換部７は、無線電話回線を利用してデータを配信するデータ配信システムから受信手段により受信した音楽データをデータ記憶手段３０に記憶する書き込み手段を構成し、セレクター８、スピーカ５、コントローラ機能付きイヤホン２０のイヤホン部２３は、データを再生して外部出力する再生出力手段を構成し、マイク６は、通話相手に送信される音声が入力される音声入力手段を構成している。【選択図】  図１
2008263638.tif 000002
【特許請求の範囲】
【請求項１】
信号を受信する受信手段と、
信号を送信する送信手段と、
無線電話回線を利用してデータを配信するデータ配信システムから上記受信手段により受信した映像データ又は音楽データを少なくとも当該映像データ又は音楽データが記憶可能とされている記憶手段に記憶する書き込み手段と、
データを再生して外部出力する再生出力手段と、
通話相手に送信される音声が入力される音声入力手段と
を備えたことを特徴とする携帯型電話装置。
【請求項２】
上記記憶手段として、着脱自在とされているものを用い、
上記記憶手段が装着される装着部を備えたこと
を特徴とする請求項１記載の携帯型電話装置。
【請求項３】
上記再生出力手段は、上記記憶手段に記憶された映像データ又は音楽データを再生すること
を特徴とする請求項１記載の携帯型電話装置。
【請求項４】
上記データ配信システムから受信した上記映像データ又は音楽データの配信情報を保持する保持手段を備え、
上記書き込み手段は、上記配信情報に基づいて、上記受信手段が受信した上記映像データ又は音楽データを選択的に上記記憶手段に書き込むこと
を特徴とする請求項１記載の携帯型電話装置。
【請求項５】
上記再生出力手段は、電話の着信時に、一時的に、上記記憶手段に記憶されている所定の上記映像データ又は音声データを再生すること
を特徴とする請求項１記載の携帯型電話装置。
【請求項６】
上記再生出力手段は、通話時には、通話相手の音声である通話データと、上記記憶手段に記憶されている上記音楽データとを再生すること
を特徴とする請求項１記載の携帯型電話装置。
【請求項７】
上記再生出力手段は、上記通話データと上記音楽データとを切り換えて再生すること
を特徴とする請求項６記載の携帯型電話装置。
【請求項８】
音量を調節するための音量調節手段を備え、
上記再生出力手段は、上記音量調節手段における音量調節に応じた音量として、上記通話データ及び音楽データを同時に出力すること
を特徴とする請求項６記載の携帯型電話装置。
【請求項９】
音量を調節するための音量調節手段を備え、
上記送信手段は、上記音量調節手段における音量調節に応じた音量として、上記再生出力手段が再生する上記音楽データと、上記音声入力手段から入力された通話データとを同時に送信すること
を特徴とする請求項１記載の携帯型電話装置。
【請求項１０】
上記送信手段は、受信した音楽データを上記データ配信システムにおいてアクセス可能にするアクセス情報を、上記音楽データ及び通話データとともに送信すること
を特徴とする請求項９記載の携帯型電話装置。
【請求項１１】
装置本体部と、上記装置本体部から別離され、少なくとも上記再生出力手段を備えた別離部とからなること
を特徴とする請求項１記載の携帯型電話装置。
【請求項１２】
上記装置本体部に、上記受信手段、上記送信手段及び上記書き込み手段を少なくとも備えていること
を特徴とする請求項１１記載の携帯型電話装置。
【請求項１３】
上記別離部は、上記装置本体部に着脱自在とされ、
上記再生出力手段は、上記別離部が上記装置本体部に装着されることにより、上記映像データ又は音楽データを再生開始すること
を特徴とする請求項１１記載の携帯型電話装置。
【請求項１４】
上記別離部に、上記装置本体部における動作を制御するための制御手段を備えたこと
を特徴とする請求項１１記載の携帯型電話装置。
【請求項１５】
上記記憶手段を、上記別離部に備えていること
を特徴とする請求項１１記載の携帯型電話装置。
【請求項１６】
上記別離部に、当該別離部に電流を供給する電源部を備えていること
を特徴とする請求項１１記載の携帯型電話装置。
【請求項１７】
無線電話回線を利用してデータ配信システムにおいて、データを記録及び再生する携帯型電話装置に映像データ又は音楽データを配信するデータ配信方法であって、
上記映像データ又は音楽データを上記携帯型電話装置に配信する配信工程と、
上記映像データ又は音楽データの配信に応じて課金処理を行う課金処理工程と
を有したことを特徴とするデータ配信方法。
【請求項１８】
上記携帯型電話装置として、信号を受信する受信手段と、信号を送信する送信手段と、上記データ配信システムから上記受信手段により受信した上記映像データ又は音楽データを記憶手段に記憶する書き込み手段と、データを再生して外部出力する再生出力手段と、通話相手に送信される音声が入力される音声入力手段とを備えたものを用いること
を特徴とする請求項１７記載のデータ配信方法。
【請求項１９】
上記配信工程において試聴のために上記映像データ又は音楽データを配信したときには、上記課金処理工程では、上記無線電話回線の回線使用料のみを課金すること
を特徴とする請求項１７記載のデータ配信方法。
【請求項２０】
上記配信工程において上記映像データ又は音楽データの一部を試聴のために配信すること
を特徴とする請求項１９記載のデータ配信方法。
【請求項２１】
上記課金処理工程では、上記配信工程において配信された上記映像データ又は音楽データを受信完了した受信完了情報が上記携帯型電話装置から発信されたことを確認して課金すること
を特徴とする請求項１７記載のデータ配信方法。
【請求項２２】
上記配信工程では、コマーシャルを上記映像データ又は音楽データに添付して配信すること
を特徴とする請求項１７記載のデータ配信方法。
【請求項２３】
上記配信工程では、上記コマーシャルとして、上記携帯型電話装置において一度のみ再生可能なものを上記映像データ又は音楽データに添付すること
を特徴とする請求項２２記載のデータ配信方法。
【発明の詳細な説明】
【技術分野】
【０００１】
本発明は、無線電話回線を利用して、通話を行う携帯型電話装置及びそのような携帯型電話装置にデータを配信するデータ配信方法に関する。
【背景技術】
【０００２】
携帯型電話装置は、着信があった際には着信音を発している。近年、自分で作曲した曲を着信音としたり、無線電話回線をそのまま利用して、専用ダイヤルから取得した曲を着信音としたりできる携帯型電話装置が提供されている。
【０００３】
従来技術として、特許文献１が知られている。
【０００４】
【特許文献１】特開平１１−５５７５１号公報
【発明の開示】
【発明が解決しようとする課題】
【０００５】
ところで、従来の携帯型電話装置は、上述したように無線電話回線を利用してデータを受信することはできるが、そのようにして受信したデータを着信音として使用するなど用途が限定されている。すなわち、携帯型電話装置において、歌謡曲等の曲全部を受信したり、映像を受信して、これの単に聴く、観るために再生することはできなかった。例えば、従来において、携帯型電話装置の備える記憶手段には限界があったため、高品質な音楽を記憶することができなかった。
【０００６】
また、データ配信システムからデータをパーソナルコンピュータによりダウンロードすることはできるが、これではデータの受信するためのシステムが大きすぎる。
【０００７】
さらに、音楽を再生する装置として、いわゆるＭＤ等の記録媒体に記録された音楽を再生することができる携帯型再生装置があるが、特に若いユーザは、必須アイテムとして有する携帯型電話とこの携帯型再生装置とを一緒に所持することは面倒であると思う場合がある。
【０００８】
そこで、本発明は、上述の実情に鑑みてなされたものであり、無線電話回線を利用して、映像データ又は音楽データを受信して再生する携帯型電話装置と、そのような携帯型電話装置に対して、映像データ及び音楽データを配信することを可能にするデータ配信方法を提供することを目的としている。
【課題を解決するための手段】
【０００９】
本発明に係る携帯型電話装置は、上述の課題を解決するために、無線電話回線を利用してデータを配信するデータ配信システムから受信手段により受信した映像データ又は音楽データを少なくとも当該映像データ又は音楽データが記憶可能とされている記憶手段に記憶する書き込み手段と、データを再生して外部出力する再生出力手段とを備える。
【００１０】
このような構成を有する携帯型電話装置は、無線電話回線を利用してデータを配信するデータ配信システムから受信手段により受信した映像データ又は音楽データを少なくとも当該映像データ又は音楽データが記憶可能とされている記憶手段に書き込み手段により記憶し、再生出力手段により、映像データ又は音楽データを再生して外部出力する。
【００１１】
また、本発明に係るデータ配信方法は、上述の課題を解決するために、無線電話回線を利用してデータ配信システムにおいて、データを記録及び再生する携帯型電話装置に映像データ又は音楽データを配信するデータ配信方法であって、映像データ又は音楽データを携帯型電話装置に配信する配信工程と、映像データ又は音楽データの配信に応じて課金処理を行う課金処理工程とを有する。
【００１２】
このような工程を有するデータ配信方法は、携帯型電話装置に映像データ又は音楽データを配信するとともに、その配信に応じて課金処理を行う。
【発明の効果】
【００１３】
本発明に係る携帯型電話装置は、無線電話回線を利用してデータを配信するデータ配信システムから受信手段により受信した映像データ又は音楽データを少なくとも当該映像データ又は音楽データが記憶可能とされている記憶手段に記憶する書き込み手段と、データを再生して外部出力する再生出力手段とを備えることにより、無線電話回線を利用してデータ配信システムから受信手段により受信した映像データ又は音楽データを少なくとも当該映像データ又は音楽データが記憶可能とされている記憶手段に書き込み手段により記憶し、再生出力手段により、映像データ又は音楽データを再生して外部出力することができる。
【００１４】
よって、携帯型電話装置は、無線電話回線を利用して、映像データ又は音楽データを受信し、その映像データ又は音声データを再生することができる。
【００１５】
また、本発明に係るデータ配信方法は、無線電話回線を利用してデータ配信システムにおいて、データを記録及び再生する携帯型電話装置に映像データ又は音楽データを配信するデータ配信方法であって、映像データ又は音楽データを携帯型電話装置に配信する配信工程と、映像データ又は音楽データの配信に応じて課金処理を行う課金処理工程とを有することにより、携帯型電話装置に映像データ又は音楽データを配信するとともに、その配信に応じて課金処理を行うことができる。
【００１６】
よって、データ配信方法により、携帯型電話装置は、無線電話回線を利用して、映像データ又は音楽データを受信し、その映像データ又は音声データを再生することができる。
【発明を実施するための最良の形態】
【００１７】
以下、本発明の実施の形態について図面を用いて詳しく説明する。この実施の形態は、無線電話回線を使用して通話を行う携帯型電話装置についてのものである。
【００１８】
図１に示すように、携帯型電話装置１は、アンテナ部２、表示部３、操作部４、スピーカ５、マイク６、データ変換部７、セレクター８、制御部９、及び送受信部１０を備え、この部分により装置本体部が構成されている。ここで、アンテナ部２は、アンテナ２ａ及び共用器２ｂを備えている。また、送受信部１０は、受信部１１及び送信部１２を備えている。
【００１９】
この携帯型電話装置１は、コントローラ機能付きイヤホン２０が装置本体部に着脱自在に装着されている。ここで、コントローラ機能付きイヤホン２０は、装置本体部に別離された別離部を構成する。
【００２０】
また、携帯型電話装置１は、データが記憶されるデータ記憶手段３０を備え、このデータ記憶手段３０が装置本体部に着脱自在に装着されている。
【００２１】
そして、この携帯型電話装置１は、一般的な通話機能に加えて、データ配信システムから音楽データを受信して、受信した音楽データをデータ記憶手段３０に記憶したり、スピーカ５やコントローラ機能付きイヤホン２０から音声として出力することができるように構成されている。
【００２２】
この携帯型電話装１の外観については、図２に示すように、装置本体部１ａ及びコントローラ機能付きイヤホン２０とからなる。装置本体部１ａにおいて、この図２に示すように、アンテナ２ａ、表示部３、操作部４、スピーカ５、マイク６が外観をなしている。一方、コントローラ機能付きイヤホン２０は、装置本体部１ａに設けられている図示しないジャックに着脱自在とされて装着されるプラグ２１、コントローラ部２２及びイヤホン部２３を備えている。
【００２３】
この携帯型電話装１において、アンテナ部２及び受信部１１は、信号を受信する受信手段を構成し、アンテナ部２及び送信部１２は、信号を送信する送信手段を構成し、データ変換部７は、無線電話回線を利用してデータを配信するデータ配信システムから受信手段により受信した音楽データをデータ記憶手段３０に記憶する書き込み手段を構成し、セレクター８、スピーカ５、コントローラ機能付きイヤホン２０のイヤホン部２３は、データを再生して外部出力する再生出力手段を構成し、マイク６は、通話相手に送信される音声が入力される音声入力手段を構成している。
【００２４】
映像データや音楽データを配信するデータ配信システムのデータ配信方式としては、いゆゆるインターネットや、例えばＮＴＴ移動通信網株式会社（ＮＴＴドコモ）が携帯型電話装置に対するデータ配信方式として採用しているいわゆるi−modeが挙げられる。このi-modeでは、多彩なサイト（番組）へのアクセスが可能となる。なお、データ配信システムのデータ配信はこれに限定されないことはいうまでもない。
【００２５】
また、データ配信システムの通信方式については、例えば、データ配信に好適な通信方式を採用し、例えば、ノイズに強く、高信頼性で高音質が得られるW-CDMA（Wideband Code Division Multiple Access）やCDMA2000（Code Division Multiple Access 2000）を使用する。なお、通信方式についてはこれに限定されないことはいうまでもない。データ配信システムは、このような通信方式において、例えば、音楽データを、通話データが格納される部分に格納して、例えばパケット化したデータとして、受信端末である携帯型電話装置１に配信している。そして、このデータ配信システムでは、例えば課金サーバによりデータの配信に応じて課金を行っている。
【００２６】
また、実施の形態では、配信データを音楽データとして説明しており、音楽データについては、音楽コンテンツ向けのデータ圧縮方式、例えば、ＳＤＭＩ（Secure Digital Music Initiative）やＭＰＥＧ１（Moving Picture Experts Group１）のオーディオ・レイヤーIII、すなわちＭＰ３が採用されて、圧縮されている。例えば、ＭＰ３は、オーディオＣＤの音質をほとんど損なうことなく、約1/10にデータを圧縮することができる。
【００２７】
携帯型電話装置１は、アンテナ部２を介して送信されてくる信号を受信部１１において受信する。受信部１１は、信号を復調する。ここで、復調される信号は、通話信号や上述したデータ配信システムから配信されてきた音楽データである。受信部１１は、復調した信号をセレクター８及びデータ変換部７に出力する。
【００２８】
データ変換部７は、受信部１１が復調した信号から音楽データのパケットを取り出して、復号等の信号処理をして音楽データを得る。さらに、データ変換部７は、データ記憶手段３０に音楽データを書き込む場合には、所定のフォーマットとしてデータ記憶手段３０へのデータの書き込みを行う。
【００２９】
ここで、データ記憶手段３０は、携帯型電話装置１の装置本体部１ａに対して着脱自在とされ、映像データや音楽データが記憶可能な記憶手段である。データ記憶手段３０は、例えば、いわゆるメモリスティックであって、この場合、データ変換部７は、メモリスティックのフォーマットにより音楽データを書き込むことになる。また、データ記憶手段３０としてメモリースティックを採用している場合には、携帯型電話装置１は、装置本体部１ａにメモリースティックストロットをメモリースティックの装着部として設けており、このメモリスティックスロットを介してデータ記憶手段３０とされるメモリースティックに対するデータの書き込み及び読み出しを行う。
【００３０】
なお、データ記憶手段３０は、装置本体部１ａに着脱自在とされることに限定されるものではない。すなわち、携帯型電話装１の装置本体部１ａ内に常備されている記憶手段であってもよい。また、データ記憶手段３０は、いわゆるメモリスティックに限定されるものでななく、装置本体部１ａに着脱自在とされる他の半導体メモリであってもよい。
【００３１】
セレクター８は、データを選択的に入出力するように構成されている。このセレクター８は、音楽データと受信部１２から出力された通話音声とを選択的にスピーカ５やコントローラ機能付きイヤホン２０に出力している。また、セレクタ０ー８は、具体的には、通話中において、通話音声の受信時には、受信部１２から出力されてくる通話音声をスピーカ５やコントローラ機能付きイヤホン２０に出力し、こちらからの通話信号の送信時には、受信した音楽データをスピーカ５やコントローラ機能付きイヤホン２０に出力している。
【００３２】
送受信部１０の送信部１２は、マイク６やセレクター８から出力されてくる音声データを変調して、アンテナ部２を介して送信している。
【００３３】
制御部９は、携帯型電話装置１を構成する各部を制御する。例えば、制御部９は、操作部４から操作に応じて出力された操作情報に基づいて各部へ制御信号を出力して、各部を制御している。
【００３４】
表示部３は、例えばＬＣＤ（Liquid Crystal Display）である。この表示部３は、着信があった際には、上述した制御部９に制御されて、相手の電話番号や名前等を表示する。
【００３５】
また、操作部４は、複数のボタン等から構成されており、例えば、「１」〜「９」及び「０」といった数字からなる電話を掛けるためのボタン、通話を開始するための受信ボタン、或いは回転させることにより住所録やコマンド等を選択することできるいわゆるジョグダイヤル等により構成されている。制御部９は、操作部４を構成するこれらボタン等の操作に応じて各部を制御する。
【００３６】
コントローラ機能付きイヤホン２０は、上述したように、プラグ２１と、コントローラ部２２と、２個のイヤホン２３ａ，２３ｂからなるイヤホン部２３とが一体化された構造とされている。ここで、プラグ２１とコントローラ部２２とが給電コード２４ａにより電気的に接続され、コントローラ部２２とイヤホン２３ａ，２３ｂとが給電コード２４ｂにより電気的に接続されている。
【００３７】
コントローラ部２２は、図２に示すように、表示部２２ａ、操作部２２ｂ，２２ｃ及びイヤホン部２３を備えている。第１の操作部２２ｂは、例えば、押圧により操作されるように構成されており、第２の操作部２２ｃは、例えば、回転により操作されるように構成されている。例えば、第２の操作部２２ｃは、ボリュームコントローラである。この操作部２２ｂ，２２ｃの操作に応じてコントローラ機能付きイヤホン２０は、制御信号を、携帯型電話装１のイヤホンジャックに接続したプラグ２１を介して、装置本体部１ａに出力している。携帯型電話装１は、コントローラ機能付きイヤホン２０から制御信号の出力があった場合、制御部９により、この制御信号に基づいて各部を制御する。
【００３８】
また、携帯型電話装置１のイヤホンジャックについては、コントローラ機能付きイヤホン２０が接続できるように特殊なジャックとして設られている。すなわち、少なくともコントローラ機能付きイヤホン２０との間で音声信号の入出力が行え、及びコントローラ機能付きイヤホン２０からの制御信号が入力されるように、携帯型電話装置１のイヤホンジャックが形成されている。
【００３９】
以上のように携帯型電話装置１は構成されている。この携帯型電話装置１は、着信があると着信音をスピーカ５から出力する。例えば、着信音の出力は、記憶部に記憶されている音楽データを再生することにより行う。この着信音を聞いたユーザにより操作部４の通話ボタンが操作されることにより、携帯型電話装置１は、通話音声信号に応じてスピーカ５から通話音声を出力を開始するとともに、マイク６から入力される音声を送信部１２により送信する。このように、この携帯型電話装置１は、通常の携帯型電話装置としての機能を有している。
【００４０】
さらに、携帯型電話装置１は、データ配信システムから無線電話回線により配信されている音楽データを受信し、データ記憶手段３０に記憶することができ、また、そのようにして受信した音楽データを再生することができる。そして、携帯型電話装置１は、音楽データを例えば無線電話回線を介して他人に送信することもできる。以下に、これら機能について、ユーザが行う手続きを含めて、具体的に説明する。
【００４１】
なお、以下、携帯型電話装置１が音楽データを再生する際のモードを音楽再生モードといい、携帯電話として機能する際のモードを電話モードといい、音楽を再生しながら携帯電話として相手と通話する際のモードを電話及び再生モードという。
【００４２】
ユーザは、先ず、携帯型電話装置１により、データ配信システムに無線電話回線を利用してアクセスする。例えば、ユーザは、音楽コンテンツを配信する音楽サイトにアクセスする。そして、ユーザは、音楽サイトにおいて気に入った音楽を携帯型電話装置１の操作部４を操作して選択する。例えば、音楽サイトでは、配信可能な音楽が、ジャンル別やヒットチャート別に表示されている。
【００４３】
携帯型電話装置１では、ユーザにより選択されて配信されてくる音楽データを受信する。そして、携帯型電話装置１は、受信した音楽データをデータ変換部７によりデータ記憶手段３０へ書き込んだり、スピーカ５から出力する。
【００４４】
また、携帯型電話装１は、このように配信された音楽データを着信音、いわゆる着メロとして使用することができる。具体的には、携帯型電話装１は、配信された音楽データを着メロとして使用する場合には、着信の際に、データ記憶手段３０に既に記憶されている音楽データを一時的に再生する。なお、データ記憶手段３０に複数の音楽データが記憶されている場合には、予め着メロとして使用する音楽をユーザが選択できるようにしておくようにする。
【００４５】
また、データ配信システムからのデータの取り込みについては、携帯型電話装置１により選択的に行うこともできる。すなわち例えば、携帯型電話装置１は、受信した音楽データの配信情報として受信済みの音楽データの配信情報のログを保持しておき、そのログと音楽サイトにて今回選択した音楽データのログとを比較して、未受信の音楽データだけを受信するようにする。例えば、携帯型電話装１は受信した音楽のログを配信情報の格納手段とされる記憶部に記憶しておく。具体的には、データ記憶手段３０に音楽のログを記憶しておく。このように、音楽データを選択的に受信して、重複して音楽データの受信を避けることにより、同一のコンテンツに対して課金を重複したなされることを防止することができる。
【００４６】
なお、データ記憶手段３０に記憶されたデータのコピーの回数を制限することもできる。例えば、配信された音楽データを他のメディアに対して１回だけコピーすることができるようにする。これにより、データ配信システムから配信された音楽データの違法なコピーを防止することができる。
【００４７】
データ配信システムでは、上述したような携帯型電話装１への音楽データの配信に応じて、課金を例えば課金サーバにて行っており、以下に、その課金を行う際の処理や課金の形態について具体例を示す。
【００４８】
例えば、データの配信に応じて課金処理を行う課金サーバは、音楽データを受信完了した受信完了情報とされる受信の正常を示すAck信号により課金処理を開始する。このとき、課金は、例えば回線使用料とダウンロード料に対して行われる。
【００４９】
また、データ配信システムでは、音楽データにコマーシャルを入れて配信することもできる。これにより、ユーザは、音楽と共にコマーシャルを聴くことになるが、このような場合、スポンサーが音楽データの配信に応じて課す課金の一部又は全部を支払うようにすることもできる。また、コマーシャルの放送については、音楽を再生する際にはいつも流れるようにしたり、一度コマーシャルが再生されればその後は再生されないようにすることもできる。
【００５０】
また、コマーシャルの放送時間については、スポンサーが支払うダウンロード料に比例して決定することもできる。
【００５１】
また、データ配信システムでは、試聴のために音楽データを配信することもできる。例えば、データ配信システムでは、試聴用に音楽データの一部を配信する。このように試聴のために音楽データが配信した場合、課金は、無線電話回線の回線使用料のみとする。
【００５２】
以上のように、携帯型電話装置１は、データ配信システムにおいて音楽データの配信を受け、その際にデータ配信システムでは、上述したような処理手順及び形態により音楽データの配信に応じて課金を行っている。上述したような課金処理を行うことにより、データ配信と課金を効率よく行うことができる。
【００５３】
携帯型電話装置１は、上述したようにデータ配信システムから配信された音楽データを、音楽再生モードや電話及び再生モードにおいて、スピーカ５やコントローラ機能付きイヤホン２０イヤホン部２３から再生する。
【００５４】
図３乃至図５を用いて、携帯型電話装置１が携帯電話として機能する電話モードから音楽再生モードに移行する処理について具体的に説明する。
【００５５】
例えば、図３に示すように、携帯型電話装置１は、ステップＳ１において、コントローラ機能付きイヤホン２０が接続されたか否かを判別する。携帯型電話装置１は、コントローラ機能付きイヤホン２０が接続されていることを確認できるこのステップＳ１の判別処理を繰り返す。
【００５６】
そして、ステップＳ１においてコントローラ機能付きイヤホン２０の接続を確認した場合、携帯型電話装置１は、ステップＳ２において、音楽再生モードに移行して、音楽を再生する。
【００５７】
なお、上述の例に限定されるものではない。例えば、操作部４の音楽再生モードへの切り換えのためのボタン操作がなされることも音楽再生モードへ移行するための条件とすることもできる。
【００５８】
例えば、図４に示すように、携帯型電話装置１は、ステップＳ２１において、コントローラ機能付きイヤホン２０が接続されたか否かを判別する。携帯型電話装置１は、コントローラ機能付きイヤホン２０が接続されていることを確認できるまでこのステップＳ２１の判別処理を繰り返す。
【００５９】
そして、ステップＳ２１においてコントローラ機能付きイヤホン２０の接続を確認した場合に、携帯型電話装置１は、ステップＳ２２において、音楽再生モードへの移行のためのボタン操作がされたか否かを判別する。携帯型電話装置１は、音楽再生モードへの移行のためのボタン操作がされていることを確認できるまでこのステップＳ２２の判別処理を繰り返す。
【００６０】
ステップＳ２２においてボタン操作がされたことを確認することができた場合、携帯型電話装置１は、ステップＳ２３において、音楽再生モードに移行して、音楽を再生する。
【００６１】
また、携帯型電話装置１は、上述したように、コントローラ機能付きイヤホン２０は携帯型電話装置１の動作を制御するためのコントローラ部２２を有しているので、音楽再生モードへの切り換えのための操作がこのコントローラ部２１においてなされたことを音楽再生モードへの移行の条件とすることもできる。
【００６２】
例えば、図５に示すように、携帯型電話装置１は、ステップＳ３１において、コントローラ機能付きイヤホン２０が接続されたか否かを判別する。携帯型電話装置１は、コントローラ機能付きイヤホン２０が接続されていることを確認できるまでこのステップＳ３１の判別処理を繰り返す。
【００６３】
ステップＳ３１においてコントローラ機能付きイヤホン２０の接続を確認した場合に、携帯型電話装置１は、ステップＳ３２において、音楽再生モードへの移行のためにコントローラ部２２において操作がなされたか否かを判別する。携帯型電話装置１は、音楽再生モードへの移行のためにコントローラ部２２において操作がなされていることを確認できるまでこのステップＳ３２の判別処理を繰り返す。
【００６４】
ステップＳ３２においてボタン操作がされたことを確認することができた場合、携帯型電話装置１は、ステップＳ３３において、音楽再生モードに移行して、音楽を再生する。
【００６５】
携帯型電話装置１は、以上のような手順により電話モードから音楽再生モードに移行している。
【００６６】
なお、上述した例では、音楽再生モードへの切り換えを、コントローラ機能付きイヤホン２０が携帯型電話装置１の本体に装着されることを条件としている。しかし、これに限定されるものではなく、例えば、音楽再生モードへの切り換えの条件をコントローラ機能付きイヤホン２０の装着とせず、携帯型電話装置１の操作部４のボタン操作により音楽再生モードに移行させることもできる。これにより、コントローラ機能付きイヤホン２０を装着していない状態において、スピーカ５から音楽を再生することができる。換言すれば、音楽再生モードを切り換える条件として、コントローラ機能付きイヤホン２０の装着を条件とすることは、音楽再生モードへの移行手順を最小限として、コントローラ機能付きイヤホン２０において音楽を聴こうとする場合には有効な処理となる。
【００６７】
そして、携帯型電話装置１は、音楽再生モード中において通話のための着信があった場合には、電話及び再生モードにモードを切り換えて、音楽及び通話を行うことができる。具体的には、携帯型電話装置１は、電話及び再生モードにモードとして、セレクター８により、通話音声の受信時には受信部１１から出力されてくる通話音声をスピーカ５やコントローラ機能付きイヤホン２０に出力し、こちらからの通話信号の送信時には音楽データをスピーカ５やコントローラ機能付きイヤホン２０に出力している。これにより、携帯型電話装置１は、通話時においては、スピーカ５やコントローラ機能付きイヤホン２０から通話相手の音声又は音楽の何れか一方が出力されるようになる。
【００６８】
音楽再生モード中に着信があった場合に電話及び再生モードに移行する手順を、図６に示すフローチャートを参照して説明する。
【００６９】
ステップＳ４１において音楽再生モードとされている携帯型電話装置１は、続くステップＳ４２において、着信があったことを知らせる受信部１２の受信Ａｃｋの出力があったか否かを判別する。携帯型電話装置１は、受信Ａｃｋの出力を確認するまで、音楽再生モード内においてステップＳ４２の判別処理を繰り返す。
【００７０】
ステップＳ４２において受信Ａｃｋの出力を確認した場合、携帯型電話装置１は、ステップＳ４３において、相手の情報を表示する。例えば、相手の情報として電話番号を表示する。また、相手の電話番号の表示は、表示部３への表示であったり、コントローラ機能付きイヤホン２０の表示部２２ａへの表示であったりする。
【００７１】
操作部４或いはコントローラ機能付きイヤホン２０が操作されることにより、携帯型電話装置１は、ステップＳ４４において受信動作を開始して、続いてステップＳ４５においてセレクター７による通話を開始する。すなわち、携帯型電話装置１は、受信時に、受信部１１から出力されてくる通話音声を音声出力部であるスピーカ５やコントローラ機能付きイヤホン２０に出力し、こちら通話音声の送信時には、音楽データをスピーカ５やコントローラ機能付きイヤホン２０に出力する。
【００７２】
携帯型電話装置１は、以上のような手順により、音楽を再生しているときに着信があった場合、音楽再生モードから電話及び再生モードにより、現在再生している音楽を通話音声に混じってとぎれとぎれで再生する。これにより、ユーザは、音楽を聴きながら音楽を聴くことができようになる。
【００７３】
なお、音楽を聴きながら通話したい場合において、聴いている音楽の音量と受信した通話音量とを調節して同時にスピーカ５やコントローラ機能付きイヤホン２０のイヤホン部２３に出力することもできる。図７には、音量が調整された通話音声及び音楽を同時に出力するミキサー４１を、セレクター７に代えて備えた携帯型電話装置１の構成例を示している。ここで、ミキサー４１は、上述した再生出力手段の一部を構成している。なお、音量の調整については、例えば、操作部４の図示しない音量調整用の音量調整手段により行う。
【００７４】
携帯型電話装置１は、ミキサー４１を備えることにより、音量調節手段の操作状態に応じて聴いている音楽の音量と受信した通話音声の音量とを調節して、同時にスピーカ５やコントローラ機能付きイヤホン２０から出力することができるようになる。これにより、ユーザは、音楽が相手の通話音声に混じってとぎれとぎれではなく、音楽を聴きながら同時に相手の通話音声を聴くことができるようになる。
【００７５】
このように、ミキサー４１を備えた携帯型電話装置１の音楽再生モード中に着信があった場合に電話及び再生モードに移行する手順を、図８に示すフローチャートを参照して説明する。
【００７６】
ステップＳ５１において音楽再生モードとされている携帯型電話装置１は、続くステップＳ５２において、着信があったことを知らせる受信部１２の受信Ａｃｋの出力があったか否かを判別する。携帯型電話装置１は、受信Ａｃｋの出力を確認するまで、音楽再生モード内においてステップＳ５２の判別処理を繰り返す。
【００７７】
ステップＳ５２において受信Ａｃｋの出力を確認した場合、携帯型電話装置１は、ステップＳ５３において、表示部３やコントローラ機能付きイヤホン２０の表示部２２ａに相手の情報として電話番号等を表示する。
【００７８】
操作部４或いはコントローラ機能付きイヤホン２０が操作されることにより、携帯型電話装置１は、ステップＳ５４において受信動作を開始して、続いてステップＳ５５においてミキサー４１による通話を開始する。すなわち、携帯型電話装置１は、聴いている音楽の音量と受信した通話音量とを調節して同時にスピーカ５やコントローラ機能付きイヤホン２０に音楽を出力する。
【００７９】
なお、携帯型電話装置１は、聴いている音楽とマイク６から入力された通話音声とを通話相手に送信することもできる。この場合、携帯型電話装置１は、マイク６から入力された音声信号はミキサー４１に入力されるような構成をとる。具体的には、音楽と通話音声を相手に送信する場合、携帯型電話装置１は、聴いている音楽の音量とマイク６の音量とを調節して同時に通話相手に送信する。なお、音量の調整については、例えば、操作部４の図示しない音量調整用の音量調整手段により行う。
【００８０】
また、コントローラ機能付きイヤホン２０に対してマイク４２を備えるような構成として、携帯型電話装置１は、図９及び図１０に示すように、いわゆるコントローラ及びマイク機能付きイヤホン４３が装着されるようにしてもよい。
【００８１】
携帯型電話装置１が聴いている音楽の音量とマイク６の音量を調節して同時に送信することにより、通話相手に自分の聴いている音楽を聴かせることができるようになる。
【００８２】
さらに、携帯型電話装置１は、そのようにして通話相手に送信した音楽データがデータ配信システムにおいてアクセス可能にするアクセス情報（アクセスログ）を、その通話音声及び音楽データに添付して送信することもできる。これにより、自分の聴いている音楽が相手も気に入って、その音楽を取得したいと考えた場合、相手はこのアクセスログにより後でデータ配信システムからその音楽データをダウンロードすることができるようになる。
【００８３】
また、携帯型電話装置１は、上述したセレクター８とミキサー４１との機能を併有することもできる。図１１には、セレクター８とミキサー４１との機能を併有する携帯型電話装置１の音楽再生モード中に着信があった場合に電話及び再生モードに移行する手順について、のフローチャートを参照して説明する。
【００８４】
ステップＳ６１において音楽再生モードとされている携帯型電話装置１は、続くステップＳ６２において、着信があったことを知らせる受信部１２の受信Ａｃｋの出力があったか否かを判別する。携帯型電話装置１は、受信Ａｃｋの出力を確認するまで、音楽再生モード内においてステップＳ６２の判別処理を繰り返す。
【００８５】
ステップＳ６２において受信Ａｃｋの出力を確認した場合、携帯型電話装置１は、ステップＳ６３において、表示部３やコントローラ機能付きイヤホン２０の表示部２２ａに相手の情報として電話番号等を表示する。
【００８６】
操作部４或いはコントローラ機能付きイヤホン２０が操作されることにより、携帯型電話装置１は、ステップＳ６４において受信動作を開始して、ステップＳ６５及びステップＳ６７において、セレクター機能又はミキサー機能のどちらで送受信処理するかを選択する。例えば、携帯型電話装置１は、操作部４或いはコントローラ機能付きイヤホン２０のコントローラ部２２にセレクター機能又はミキサー機能を選択するための選択スイッチを有しており、携帯型電話装置１は、この選択スイッチの操作状態を確認することにより、セレクター機能又はミキサー機能の何れかにより送受信処理を行う。
【００８７】
具体的には、ステップＳ６４に続く処理として行われるステップＳ６５において、携帯型電話装置１は、セレクター機能による送受信か否かを判別する。ここで、携帯型電話装置１は、セレクター機能による送受信であることを確認した場合、ステップＳ６６に進み、セレクター機能による送受信であることを確認できなかった場合、ステップＳ６７に進む。
【００８８】
ステップＳ６７において、携帯型電話装置１は、ミキサー機能による送受信か否かを判別する。ここで、携帯型電話装置１は、ミキサー機能による送受信であることを確認した場合、ステップＳ６８に進み、ミキサー機能による送受信であることを確認できなかった場合、ステップＳ６５からの判別処理を再び行う。
【００８９】
セレクター機能による送受信であることを確認した場合に進むステップＳ６６において、携帯型電話装置１は、受信時に、受信部１２から出力されてくる通話音声をスピーカ５やコントローラ機能付きイヤホン２０に出力し、こちらからの通話信号の送信時には、音楽データをスピーカ５やコントローラ機能付きイヤホン２０に出力する。
【００９０】
一方、ミキサー機能による受信であることを確認した場合に進むステップＳ６８において、携帯型電話装置１は、聴いている音楽の音量と受信した通話音量とを調節して同時にスピーカ５やコントローラ機能付きイヤホン２０に音楽を出力する。
【００９１】
なお、携帯型電話装置１は、図１２に示すような手順により、着信があった時に携帯電話モードとして機能されることと、電話及び再生モードとして機能させることとを選択することもできる。この例では、コントローラ機能付きイヤホン２０においてそのような機能の選択がなされ、また、電話及び再生モードではミキサー機能により送受信が行われる場合について説明する。
【００９２】
ステップＳ７１において音楽再生モードとされている携帯型電話装置１は、続くステップＳ７２において、着信があったことを知らせる受信部１２の受信Ａｃｋの出力があったか否かを判別する。携帯型電話装置１は、受信Ａｃｋの出力を確認するまで、音楽再生モード内においてステップＳ７２の判別処理を繰り返す。
【００９３】
ステップＳ７２において受信Ａｃｋの出力を確認した場合、携帯型電話装置１は、ステップＳ７３において、コントローラ機能付きイヤホン２０の操作状態から電話及び再生モードによる受信が可能か否かの判別がなされる。携帯型電話装置１は、電話及び再生モードによる受信が可能である場合、ステップＳ７４に進み、ミキサー機能による送受信を行い、電話及び再生モードによる受信が不可能である場合、ステップＳ７５に進み、電話モードとして、通常の携帯電話モードにる送受信を行う。
【００９４】
以上のような手順により、携帯型電話装１は、着信があった時に携帯電話モードとして機能されることと、電話及び再生モードとして機能させることとを選択することができる。
【００９５】
また、携帯型電話装置１の構成は、上述した実施の形態に示した構成に限定されるものではない。図１３乃至図１６を参照して、携帯型電話装１の他の構成例について説明する。
【００９６】
携帯型電話装置１は、図１３に示すように、装置本体部１ａと無線によりデータの送受信を行うリモコン型のコントローラ機能付きイヤホン５０を備えることもできる。この場合、リモコン型のコントローラ機能付きイヤホン５０を構成する各部分に電流を供給する図示しない電源部をコントローラ部２２に備える。このように、データの送受信を行うコントローラ機能付きイヤホンをリモコン型にすることにより、装置本体部１ａとリモコン型のコントローラ機能付きイヤホン５０との間にはデータや制御信号の入出力のための配線がなくなるので、使い勝手が良くなる。
【００９７】
また、リモコン型コントローラ機能付きイヤホン５０にデータ記憶手段を備えることもできる。データ記憶手段として、装着可能とされる記憶手段、例えばメモリースティックを備え、そのように着脱自在とされるメモリースティックをコントローラ部２２に対して着脱自在とするように構成する。
【００９８】
なお、上述した装置本体部１ａに着脱自在とされるコントローラ機能付きイヤホン２０を、データ記憶手段を備える構成にすることができることはいうまでもない。
【００９９】
また、マイクをコントローラ機能付きイヤホン２０側に備えることもできる。例えば、図１４に示すように、イヤホン部２３とコントローラ部２２とを電気的に接続している給電コード２４ｂの途中にマイク６０を設けることができる。また、図１５に示すように、イヤホン２３ａに一体としてマイク７０を設けることもできる。この場合、イヤホン２３ａにおいて音声を聴く裏面にマイク７０を設ける。
【０１００】
また、コントローラ機能付きイヤホン２０の給電コードにアンテナ機能を併有させることもできる。例えば、図１６に示すように、アンテナ機能を併有する給電コード８０をコントローラ機能付きイヤホン２０のイヤホン部２３とコントローラ部２２との間に設ける。
【０１０１】
以上、携帯型電話装置１の構成及び動作等について説明した。図１７乃至図１９には、携帯型電話装置のユーザの使用態様を示している。
【０１０２】
図１７に示すように、ユーザは、コントローラ機能付きイヤホン２０を使用することにより、装置本体部１ａをバック１００等に収納した状態で、当該装置本体部１ａにおいて再生される音楽を聴くことができる。すなわち、ユーザは、携帯型電話装置１をあたかも携帯型記録再生装置のように使用することができる。
【０１０３】
また、着信があったとき、コントローラ機能付きイヤホン２０のイヤホン２３ａを耳に付けた状態で、通話を開始することができる。例えば図１０に示したコントロール部２２にマイク４２を有するコントローラ機能付きイヤホン４３を使用していた場合、図１８に示すように、コントローラ部２２のマイク４２により通話相手と対話することができる。また、例えば図１４に示したコントローラ部２２とイヤホン部２３との給電コードの途中にマイク６０を備えたコントローラ機能付きイヤホン２０を使用していた場合、図１９に示すように、フリーハンドで通話相手と対話することができる。
【０１０４】
なお、上述の実施の形態では、データ配信システムからの配信データの対象を音楽データとしているがこれに限定されるものではない。例えば、データ配信システムからの配信の対象を映像データとすることもできる。
【図面の簡単な説明】
【０１０５】
【図１】本発明の実施の形態である携帯型電話装置の構成を示すブロック図である。
【図２】上述した携帯型電話装置の外観を示す正面図である。
【図３】コントローラ機能付きイヤホンが接続されて音楽再生モードに移行する手順を示すフローチャートである。
【図４】コントローラ機能付きイヤホンが接続され、装置本体部のボタン操作がされて音楽再生モードに移行する手順を示すフローチャートである。
【図５】コントローラ機能付きイヤホンが接続され、コントローラ機能付きイヤホンのコントローラ部のボタン操作がされて音楽再生モードに移行する手順を示すフローチャートである。
【図６】音楽再生モードからセレクターによる電話及び再生モードに移行する手順を示すフローチャートである。
【図７】セレクターに代えてミキサーを備えた携帯型電話装置の構成を示すブロック図である。
【図８】音楽再生モードからミキサーによる電話及び再生モードに移行する手順を示すフローチャートである。
【図９】マイクを備えるコントローラ及びマイク機能付きイヤホンを有する携帯型電話装置の構成を示すブロック図である。
【図１０】マイクを備えるコントローラ及びマイク機能付きイヤホンを有する携帯型電話装置の外観を示す正面図である。
【図１１】音楽再生モードからセレクター機能或いはミキサー機能による電話及び再生モードに移行する手順を示すフローチャートである。
【図１２】コントローラ機能付きイヤホンのコントローラ部を操作することにより、音楽再生モードから電話及び再生モードに移行する手順を示すフローチャートである。
【図１３】装置本体部と無線でデータの送受信を行うリモコン型のコントローラ機能付きイヤホンを有する携帯型電話装置の外観を示す正面図である。
【図１４】コントローラ部とイヤホン部との間の給電コードの途中にマイクを備えるコントローラ機能付きイヤホンの構成を示す正面図である。
【図１５】イヤホンと一体としてマイクが備えたコントローラ機能付きイヤホンの一部構成を示す正面図である。
【図１６】給電コードの一部にアンテナ機能を有する一部構成を示す正面図である。
【図１７】ユーザが携帯型電話装置をあたかも携帯型記録再生装置のように使用する説明のための図である。
【図１８】コントローラ機能付きイヤホンのコントローラ部にマイクを備えた場合のユーザの通話時の使用態様の説明のための図である。
【図１９】コントローラ部とイヤホン部との間の給電コードの途中にマイクを備えた場合のユーザの通話時の使用態様の説明のための図である。
【符号の説明】
【０１０６】
１  携帯型電話装置、２  アンテナ部、５  スピーカ、６  マイク、７  データ変換部、８  セレクター、１０  送受信部、１１  送信部、１２  受信部、３０  データ記憶手段、４１  ミキサー
【図１】
2008263638.tif 000003
【図２】
2008263638.tif 000004
【図３】
2008263638.tif 000005
【図４】
2008263638.tif 000006
【図５】
2008263638.tif 000007
【図６】
2008263638.tif 000008
【図７】
2008263638.tif 000009
【図８】
2008263638.tif 000010
【図９】
2008263638.tif 000011
【図１０】
2008263638.tif 000012
【図１１】
2008263638.tif 000013
【図１２】
2008263638.tif 000014
【図１３】
2008263638.tif 000015
【図１４】
2008263638.tif 000016
【図１５】
2008263638.tif 000017
【図１６】
2008263638.tif 000018
【図１７】
2008263638.tif 000019
【図１８】
2008263638.tif 000020
【図１９】
2008263638.tif 000021
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
無線電話回線を利用してデータ配信システムにおいて、データを記録及び再生する携帯型電話装置に映像データ又は音楽データを配信するデータ配信方法であって、
上記映像データ又は音楽データを上記携帯型電話装置に配信する配信工程と、
上記映像データ又は音楽データの配信に応じて課金処理を行う課金処理工程と
を有したことを特徴とするデータ配信方法。
【請求項２】
上記携帯型電話装置として、信号を受信する受信手段と、信号を送信する送信手段と、上記データ配信システムから上記受信手段により受信した上記映像データ又は音楽データを記憶手段に記憶する書き込み手段と、データを再生して外部出力する再生出力手段と、通話相手に送信される音声が入力される音声入力手段とを備えたものを用いること
を特徴とする請求項１記載のデータ配信方法。
【請求項３】
上記配信工程において試聴のために上記映像データ又は音楽データを配信したときには、上記課金処理工程では、上記無線電話回線の回線使用料のみを課金すること
を特徴とする請求項２記載のデータ配信方法。
【請求項４】
上記配信工程において上記映像データ又は音楽データの一部を試聴のために配信すること
を特徴とする請求項３記載のデータ配信方法。
【請求項５】
上記課金処理工程では、上記配信工程において配信された上記映像データ又は音楽データを受信完了した受信完了情報が上記携帯型電話装置から発信されたことを確認して課金すること
を特徴とする請求項１記載のデータ配信方法。
【請求項６】
上記配信工程では、コマーシャルを上記映像データ又は音楽データに添付して配信すること
を特徴とする請求項１記載のデータ配信方法。
【請求項７】
上記配信工程では、上記コマーシャルとして、上記携帯型電話装置において一度のみ再生可能なものを上記映像データ又は音楽データに添付すること
を特徴とする請求項６記載のデータ配信方法。
【手続補正２】
【補正対象書類名】明細書
【補正対象項目名】０００１
【補正方法】変更
【補正の内容】
【０００１】
本発明は、無線電話回線を利用して、通話を行う携帯型電話装置にデータを配信するデータ配信方法に関する。
【手続補正３】
【補正対象書類名】明細書
【補正対象項目名】０００８
【補正方法】変更
【補正の内容】
【０００８】
そこで、本発明は、上述の実情に鑑みてなされたものであり、無線電話回線を利用して、映像データ又は音楽データを受信して再生する携帯型電話装置に対して、映像データ及び音楽データを配信することを可能にするデータ配信方法を提供することを目的としている。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】